(57)【特許請求の範囲】
【請求項１】
炊飯物を収容する鍋と、外蓋と該外蓋の下側に着脱自在に装着する内蓋とからなる蓋体とを備え、前記内蓋の下面に指掛片を有する補助板を固定したことを特徴とする電気炊飯器。
【請求項２】
前記内蓋には鍋内の圧力を調整する圧力調整弁或は鍋内の圧力を抜く圧力抜き弁の一方又は両方を取り付け、前記補助板の固定と同時に圧力調整弁或は圧力抜き弁を蓋に固定することを特徴とする請求項１に記載の電気炊飯器。
【請求項３】
前記蓋体は、その一側を鍋を収納する炊飯器本体に開閉自在に枢着し、他側を掛止部によって炊飯器本体に掛止自在としたものであって、前記補助板は前記蓋体の掛止部側に位置する内蓋の下面に固定したことを特徴とする請求項１に記載の電気炊飯器。
【発明の詳細な説明】
【０００１】
【発明の属する技術分野】
本発明は鍋を塞ぐ内蓋を着脱自在とした電気炊飯器に関する。
【０００２】
【従来の技術】
電気炊飯器は、勿論名の如く飯を炊くものであるから水と米を収容した鍋に蓋を被せてヒータにより加熱或は誘導加熱コイルによるうず電流で鍋を発熱させて炊飯を実行するものである。
【０００３】
炊飯時にはその進行に伴ない、特に沸騰開始前から沸騰中に多量のおねばが発生し、その一部は蓋の上面にも流れ出る。
【０００４】
このため蓋は衛生面から炊飯開始前か、鍋内の飯がなくなった時点に取り外して水洗いを行い乾燥して貼り付いたおねばや付着した飯粒等を洗い流すようにしている。（特開平５−２６１０１６号公報）
【０００５】
【発明が解決しようとする課題】
前述の蓋（内蓋）は、蓋体の下面中央部に設けたボスにシリコンゴム製のブッシングを係合して装着し、取り外し時には蓋の外周縁と蓋体の下面との僅かの隙間から指先を入れて蓋の外周縁に指を掛けてブッシングとボスの係合を外すようにしている。
【０００６】
ところが、指先を僅かの隙間に入れるには一見簡単なようであるが面倒である。
【０００７】
その理由は、蓋の外周縁と蓋体の下面との隙間は、設置空間や取り扱いの便宜上、炊飯器本体の全高を可能な限り低くすることが定常化されており、又蓋体の閉塞時において蓋が大きく傾いていると外周縁が鍋の所定位置に密着しなかったり無理に蓋体を閉めると蓋が変形することにもなりかねないためできるだけ小さくなるように設定している。
【０００８】
従って蓋と蓋体の隙間の大きさと蓋の取り外し操作とは反しており、隙間を小さくすると蓋の取り外しが面倒であり、隙間を大きくすると蓋の取り外しが簡単になるものの本体の外径寸法や炊飯性能に影響を及ぼすことになった。
【０００９】
本発明は、特に内蓋と外蓋との隙間を大きくすることなく内蓋を簡単に取り外すことができるようにしたものである。
【００１０】
【課題を解決するための手段】
本発明は、炊飯物を収容する鍋と、外蓋と該外蓋の下側に着脱自在に装着する内蓋とからなる蓋体とを備え、前記内蓋の下面に指掛片を有する補助板を固定したものである。
【００１１】
また、前記内蓋には鍋内の圧力を調整する圧力調整弁或は鍋内の圧力を抜く圧力抜き弁の一方又は、両方を取り付け、前記補助板の固定と同時に圧力調整弁或は圧力抜き弁を蓋に固定するものである。
【００１２】
そして、前記蓋体は、その一側を鍋を収納する炊飯器本体に開閉自在に枢着し、他側を掛止部によって炊飯器本体に掛止自在としたものであって、前記補助板は前記蓋体の掛止部側に位置する内蓋の下面に固定したものである。
【００１３】
【発明の実施の形態】
本発明の実施例を図面に基づいて説明する。図１は本発明の電気炊飯器の断面図、図２は同じく全体断面図、図３は同じく内蓋の裏面図、図４は同じく内蓋の平面図である。
【００１４】
（１）は炊飯器本体、（２）は合成樹脂製のフレーム、（３）は前記フレーム（２）内に固定した収納ケース、（４）、（５）は前記収納ケース（３）の外底部とその外側に設けた加熱コイル、（６）は前記収納ケース（３）内に挿脱自在に設け米や水を収容する磁性体よりなる鍋で、開口部（７）の外周縁にフランジ（８）を形成している。
【００１５】
（９）は前記収納ケース（３）の底部中央に設けた温度センサー、（１０）は前記フレーム（２）の前側の上部に設けた操作表示部、（１１）は前記加熱コイル（４）、（５）等の制御基板である。
【００１６】
（１２）は外蓋（１３）と内蓋（１４）よりなる蓋体で、後側をヒンジ（１５）により前記炊飯器本体（１）に開閉自在に枢着し前側を操作表示部（１０）の上方に設けた掛止部（１６）によって掛止自在としている。
【００１７】
前記外蓋（１３）には、放出口（１７）と鍋内の圧力を高めるモータ（１８）を含めた圧力機構（１９）と蒸気温度センサー（２０）を設け、また、下面のヒンジ（１５）寄りには前記放出口（１７）に通ずるゴムブッシングよりなる係合受部（２１）を設け、下面の掛止部（１６）寄りには収納凹所（２２）を設けている。
【００１８】
前記内蓋（１４）には、図１に示す様に外周縁に設けたカール部（２３）に嵌合するリング状のシールパッキング（２４）と、上面の前記ヒンジ（１５）寄りの位置に固定した圧力調整弁（２５）と、上面の前記掛止部（１６）寄りの位置に固定した圧力抜き弁（２６）と、前記圧力調整弁（２５）と圧力抜き弁（２６）との中間付近には安全弁（２７）を設けている。
【００１９】
前記圧力調整弁（２５）は、通常状態ではスプリング（２８）によって押し下げられて蒸気孔（２９）を塞ぎ、鍋内が所定圧力以上になるとスプリングに抗して押し上げられ蒸気孔を開放する弁杆（３０）を備えている。
【００２０】
前記圧力抜き弁（２６）は、通常使用時にはスプリング（３１）により圧力孔（３２）を閉じており、蓋体（１２）を開放する場合に前記圧力機構（１９）によって作動杆（３３）を押し下げて圧力孔（３２）を強制的に開くものである。
【００２１】
（３４）は前記内蓋（１４）の下面に前記圧力抜き弁（２６）の固定と同時にリベット（３５）（３５）により固定するステンレス製の補助板で、内蓋の外周縁に向かう位置には下方に折り曲げて内蓋（１４）の下面より若干離した指掛片（３５）を形成している。
【００２２】
従って、補助板（３４）は前記蓋体（１４）のロック或はアンロックを行う掛止部（１６）側に位置する内蓋（１４）の下面に固定され、蓋体（１２）の開放時には指掛片（３５）が使用者側に近くなる。
【００２３】
尚、補助板は圧力抜き弁と同時に内蓋に固定したが、機構上、圧力調整弁を掛止部側に固定し圧力抜き弁をヒンジ側に固定したものであれば補助板を圧力調整弁と同時に内蓋に固定する。
【００２４】
【発明の効果】
以上の様に本発明は、内蓋の下面に指掛片を有する補助板を固定したものであるから、仮に内蓋と外蓋との距離が小さくとも指先を指掛片に引っ掛けて内蓋を外蓋から容易に取り外すことができる。
【００２５】
また、前記補助板は、内蓋に固定した圧力調整弁或は圧力抜き弁と同時に内蓋に固定するものであるから、固定箇所が少なく作業が簡単になると共に、補助板と同時固定した前述の弁の固定部付近が内蓋と補助板の二層構成となり内蓋の強度が向上する。
【００２６】
そして、前記補助板は、蓋体の掛止部側に位置する内蓋の下面に固定したものであるから、蓋体の開放時には指掛部が手前側に位置し指掛部への指掛けが行いやすく、広い空間で内蓋を簡単に取り外すことができる。
【図面の簡単な説明】
【図１】本発明の電気炊飯器の断面図である。
【図２】同じく全体断面図である。
【図３】同じく内蓋の裏面図である。
【図４】同じく内蓋の平面図である。
【符号の説明】
１  炊飯器本体
６  鍋
１２  蓋体
１３  外蓋
１４  内蓋
１５  ヒンジ
１６  掛止部
２５  圧力調整弁
２６  圧力抜き弁
３４  補助板
３５  指掛片
【図１】
0003619755.tif 000002
【図２】
0003619755.tif 000003
【図３】
0003619755.tif 000004
【図４】
0003619755.tif 000005